(57)【特許請求の範囲】
【請求項１】
正面視で、救命器リングと制御器とを含み、前記救命器リングの中には前記救命器リングの上下端面を貫通した楕円形溝が形成され、前記制御器が前記楕円形溝の上下端壁を貫通し、
前記救命器リングの中には鉛直チャンバが二つ左右対称的に設置され、前記鉛直チャンバの中には気体生成機構が設置され、前記気体生成機構は上下にスライドできる鉛直ロッドを含み、前記鉛直ロッドの上端面には摩擦ロッドが固定的に設置され、前記摩擦ロッドの左端面には摩擦車が摩擦によって伝動できるように設置され、前記摩擦車が回転でき、前記摩擦車の中には輸液パイプが設置され、前記救命器リングの中には上方に開口した第一傾斜パイプと下方に開口した第二傾斜パイプとが設置され、前記救命器リングの上端面には第一プラスチック膜と第二プラスチック膜とが固定的に設置され、前記第一プラスチック膜と前記第二プラスチック膜とが折り畳まれる状態にあり、前記第一プラスチック膜と前記第二プラスチック膜との間には炭酸ナトリウム溶液があり、前記救命器リングの下端面には第三プラスチック膜と第四プラスチック膜とが固定的に設置され、前記第四プラスチック膜と前記第三プラスチック膜とが折り畳まれる状態にあり、前記第三プラスチック膜と前記第四プラスチック膜との間には硫酸アルミニウム塊が置かれ、前記鉛直ロッドが下方へ運動する時に前記輸液パイプを連動させて前記第一傾斜パイプと前記第二傾斜パイプとを連通するまで回転させ、これにより前記炭酸ナトリウム溶液は下方へ流れ、前記硫酸アルミニウム塊と反応して大量の二酸化炭素を生み出し、装置を膨らまし、
前記制御器の中には方形チャンバが設置され、前記方形チャンバの左右端壁には第一伝動チャンバが対称的に設置され、前記第一伝動チャンバの中には第一折畳機構が設置され、前記第一折畳機構は前記第二プラスチック膜と前記第一プラスチック膜とを折り畳む又は緩めることができ、
前記第一折畳機構の下側には第二折畳機構が設置され、前記第二折畳機構は前記第三プラスチック膜と前記第四プラスチック膜とを折り畳む又は緩めることができることを特徴とするフロートボール式の密封水上救命設備。
【請求項２】
前記気体生成機構は左右対称の昇降チャンバも含み、前記昇降チャンバのうち前記鉛直ロッドに近接した端壁が前記鉛直チャンバに連通し、前記昇降チャンバの下端壁には昇降ばねが固定的に設置され、前記昇降ばねの上端には前記昇降チャンバとスライドできるように連結された昇降ロッドが固定的に設置され、前記昇降ロッドと前記鉛直ロッドとが固定的に連結され、前記鉛直チャンバのうち前記鉛直ロッドから離れた端壁の中には旋転軸が回転できるように設置され、前記旋転軸には前記摩擦車が固定的に設置され、前記第一プラスチック膜と前記第二プラスチック膜との間には密封ファスナーが設置されていることを特徴とする請求項１に記載のフロートボール式の密封水上救命設備。
【請求項３】
前記第一折畳機構は短軸を含み、前記短軸が前記第一伝動チャンバの後端壁と回転できるように連結され、前記短軸には第一リールが固定的に設置され、前記第一伝動チャンバの下端壁には上端壁が前記第一伝動チャンバに連通した第一移動チャンバが設置され、前記第一移動チャンバの中には第一移動ブロックがスライドできるように設置され、前記第一移動ブロックのうち前記方形チャンバに近接した一端が前記方形チャンバの中に位置しており、前記第一伝動チャンバのうち前記方形チャンバから離れた端壁が第一弾性チャンバによって外部空間に連通し、前記第一弾性チャンバの下端壁には第一弾性ばねが固定的に設置され、前記第一弾性ばねの上端には前記第一弾性チャンバとスライドできるように連結された第一弾性ブロックが固定的に設置され、前記第一リールには前記第一弾性ブロックと前記第一移動ブロックとを連通する第一細糸が巻きついており、前記第一弾性ブロックのうち前記第一伝動チャンバから離れた端面には第一圧力板が固定的に設置され、前記制御器の左右端面には第一底部板が対称的に、且つ固定的に設置され、前記第一底部板と前記第一圧力板との間には前記第一プラスチック膜と前記第二プラスチック膜とが挟まれていることを特徴とする請求項１に記載のフロートボール式の密封水上救命設備。
【請求項４】
前記方形チャンバの上端壁が長チャンバによって外部空間に連通し、前記長チャンバの左右端壁には弾力溝が対称的に形成され、前記弾力溝の下端壁には弾力ばねが固定的に設置され、前記弾力ばねの上端には前記弾力溝とスライドできるように連結された弾力ロッドが固定的に設置され、二つの前記弾力ロッドの間には中心ロッドが固定的に設置され、前記中心ロッドと前記長チャンバとがスライドできるように連結され、前記中心ロッドが前記長チャンバを貫通し、前記中心ロッドの下端には中間板が固定的に設置され、前記中間板の前端面には前記第一移動ブロックと回転できるように連結された傾斜ロッドが左右対称的に、且つ回転できるように設置されていることを特徴とする請求項３に記載のフロートボール式の密封水上救命設備。
【請求項５】
前記第二折畳機構は上方に開口した第二伝動チャンバを含み、前記第二伝動チャンバの上端壁には前記方形チャンバの方向に開口した第二移動チャンバが設置され、前記第二移動チャンバの中には第二移動ロッドがスライドできるように設置され、前記第二移動ロッドのうち前記中間板に近接した一端が前記方形チャンバの中に位置しており、前記第二移動ロッドと前記移動ブロックとが支持ロッドによって固定的に連結され、前記第二伝動チャンバの後端壁には出力軸が回転できるように設置され、前記出力軸には第二リールが固定的に設置され、前記第二伝動チャンバのうち前記方形チャンバから離れた端壁が第二弾性溝によって外部空間に連通し、前記第二弾性溝の上端壁には第二弾性ばねが固定的に設置され、前記第二弾性ばねの下端には前記第二弾性溝とスライドできるように連結された第二弾性ブロックが固定的に設置され、前記第二リールには前記第二弾性ブロックと前記第二移動ロッドとを連結する第二細糸が巻きついており、前記第二弾性ブロックのうち前記第二伝動チャンバから離れた端面には第二圧力板が固定的に設置され、前記制御器の左右端面には第二底部板が対称的に設置され、前記第二底部板と前記第二圧力板とは前記第四プラスチック膜と前記第三プラスチック膜とを挟むことを特徴とする請求項４に記載のフロートボール式の密封水上救命設備。
【請求項６】
二つの前記鉛直ロッドの下端には楕円形板が一つ設置され、前記楕円形板の中には前記楕円形板の上下端面を貫通した引き出し溝が前後対称的に形成され、前記制御器が前記楕円形板を貫通し、前記楕円形板の下側に位置している前記制御器には支持板が左右対称的に、且つ固定的に設置され、前記楕円形溝の端壁の中には弧状溝が左右対称的に形成され、前記弧状溝の上端壁が短溝によって外部空間に連通し、前記弧状溝の中には伸縮ロッドがスライドできるように設置され、前記伸縮ロッドの中には前記制御器の方向に開口した伸縮チャンバが設置され、前記伸縮チャンバのうち前記制御器から離れた端壁には伸縮ばねが固定的に設置され、前記伸縮ばねのうち前記制御器に近接した一端には前記伸縮チャンバとスライドできるように連結されたガイドロッドが固定的に設置され、前記ガイドロッドと前記制御器とが固定的に連結されていることを特徴とする請求項２に記載のフロートボール式の密封水上救命設備。
【請求項７】
前記第二弾性ばねと前記第一弾性ばねとは引っ張られる状態にあることを特徴とする請求項５に記載のフロートボール式の密封水上救命設備。
【請求項８】
前記救命器リングの右端面にはロープが装着され、前記ロープの右端には安全バックルが固定的に設置されていることを特徴とする請求項１に記載のフロートボール式の密封水上救命設備。
【発明の詳細な説明】
【技術分野】
【０００１】
本発明は救命機械分野を取り上げて、具体的にはフロートボール式の密封水上救命設備である。
【背景技術】
【０００２】
水上で船が事故に遭う時、一般的には船に配置された救命ボート又は救命艇で一時脱出し、救援を待ち、しかし、船の人数が多すぎる場合では、救命ボート又は救命艇のスペースが足りないため、全部の人を収容するあるいは充分な食物と薬物を持つことができなく、人の生存率を下げる。
【先行技術文献】
【特許文献】
【０００３】
【特許文献１】中国特許出願公開第１００５３２１９１号明細書
【発明の概要】
【発明が解決しようとする課題】
【０００４】
本発明はフロートボール式の密封水上救命設備を提供し、水上事故における救命具のスペースが足りないなどの技術問題を解決することを目的とする。
【課題を解決するための手段】
【０００５】
本発明は以下の技術プランによって実現される。
【０００６】
本発明のフロートボール式の密封水上救命設備は、救命器リングと制御器とを含み、前記救命器リングの中には前記救命器リングの上下端面を貫通した楕円形溝が形成され、前記制御器が前記楕円形溝の上下端壁を貫通し、
前記救命器リングの中には鉛直チャンバが二つ左右対称的に設置され、前記鉛直チャンバの中には気体生成機構が設置され、前記気体生成機構は上下にスライドできる鉛直ロッドを含み、前記鉛直ロッドの上端面には摩擦ロッドが固定的に設置され、前記摩擦ロッドの左端面には摩擦車が摩擦によって伝動できるように設置され、前記摩擦車が回転でき、前記摩擦車の中には輸液パイプが設置され、前記救命器リングの中には上方に開口した第一傾斜パイプと下方に開口した第二傾斜パイプとが設置され、前記救命器リングの上端面には第一プラスチック膜と第二プラスチック膜とが固定的に設置され、前記第一プラスチック膜と前記第二プラスチック膜とが折り畳まれる状態にあり、前記第一プラスチック膜と前記第二プラスチック膜との間には炭酸ナトリウム溶液があり、前記救命器リングの下端面には第三プラスチック膜と第四プラスチック膜とが固定的に設置され、前記第四プラスチック膜と前記第三プラスチック膜とが折り畳まれる状態にあり、前記第三プラスチック膜と前記第四プラスチック膜との間には硫酸アルミニウム塊が置かれ、前記鉛直ロッドが下方へ運動する時に前記輸液パイプを連動させて前記第一傾斜パイプと前記第二傾斜パイプとを連通するまで回転させ、これにより前記炭酸ナトリウム溶液は下方へ流れ、前記硫酸アルミニウム塊と反応して大量の二酸化炭素を生み出し、装置を膨らまし、
前記制御器の中には方形チャンバが設置され、前記方形チャンバの左右端壁には第一伝動チャンバが対称的に設置され、前記第一伝動チャンバの中には第一折畳機構が設置され、前記第一折畳機構は前記第二プラスチック膜と前記第一プラスチック膜とを折り畳む又は緩めることができ、
前記第一折畳機構の下側には第二折畳機構が設置され、前記第二折畳機構は前記第三プラスチック膜と前記第四プラスチック膜とを折り畳む又は緩めることができる。
【０００７】
好ましくは、前記気体生成機構について詳しく説明し、前記気体生成機構は左右対称の昇降チャンバも含み、前記昇降チャンバのうち前記鉛直ロッドに近接した端壁が前記鉛直チャンバに連通し、前記昇降チャンバの下端壁には昇降ばねが固定的に設置され、前記昇降ばねの上端には前記昇降チャンバとスライドできるように連結された昇降ロッドが固定的に設置され、前記昇降ロッドと前記鉛直ロッドとが固定的に連結され、前記鉛直チャンバのうち前記鉛直ロッドから離れた端壁の中には旋転軸が回転できるように設置され、前記旋転軸には前記摩擦車が固定的に設置され、前記第一プラスチック膜と前記第二プラスチック膜との間には密封ファスナーが設置されている。
【０００８】
好ましくは、前記第一折畳機構は短軸を含み、前記短軸が前記第一伝動チャンバの後端壁と回転できるように連結され、前記短軸には第一リールが固定的に設置され、前記第一伝動チャンバの下端壁には上端壁が前記第一伝動チャンバに連通した第一移動チャンバが設置され、前記第一移動チャンバの中には第一移動ブロックがスライドできるように設置され、前記第一移動ブロックのうち前記方形チャンバに近接した一端が前記方形チャンバの中に位置しており、前記第一伝動チャンバのうち前記方形チャンバから離れた端壁が第一弾性チャンバによって外部空間に連通し、前記第一弾性チャンバの下端壁には第一弾性ばねが固定的に設置され、前記第一弾性ばねの上端には前記第一弾性チャンバとスライドできるように連結された第一弾性ブロックが固定的に設置され、前記第一リールには前記第一弾性ブロックと前記第一移動ブロックとを連通する第一細糸が巻きついており、前記第一弾性ブロックのうち前記第一伝動チャンバから離れた端面には第一圧力板が固定的に設置され、前記制御器の左右端面には第一底部板が対称的に、且つ固定的に設置され、前記第一底部板と前記第一圧力板との間には前記第一プラスチック膜と前記第二プラスチック膜とが挟まれている。
【０００９】
好ましくは、前記方形チャンバの上端壁が長チャンバによって外部空間に連通し、前記長チャンバの左右端壁には弾力溝が対称的に形成され、前記弾力溝の下端壁には弾力ばねが固定的に設置され、前記弾力ばねの上端には前記弾力溝とスライドできるように連結された弾力ロッドが固定的に設置され、二つの前記弾力ロッドの間には中心ロッドが固定的に設置され、前記中心ロッドと前記長チャンバとがスライドできるように連結され、前記中心ロッドが前記長チャンバを貫通し、前記中心ロッドの下端には中間板が固定的に設置され、前記中間板の前端面には前記第一移動ブロックと回転できるように連結された傾斜ロッドが左右対称的に、且つ回転できるように設置されている。
【００１０】
好ましくは、前記第二折畳機構は上方に開口した第二伝動チャンバを含み、前記第二伝動チャンバの上端壁には前記方形チャンバの方向に開口した第二移動チャンバが設置され、前記第二移動チャンバの中には第二移動ロッドがスライドできるように設置され、前記第二移動ロッドのうち前記中間板に近接した一端が前記方形チャンバの中に位置しており、前記第二移動ロッドと前記移動ブロックとが支持ロッドによって固定的に連結され、前記第二伝動チャンバの後端壁には出力軸が回転できるように設置され、前記出力軸には第二リールが固定的に設置され、前記第二伝動チャンバのうち前記方形チャンバから離れた端壁が第二弾性溝によって外部空間に連通し、前記第二弾性溝の上端壁には第二弾性ばねが固定的に設置され、前記第二弾性ばねの下端には前記第二弾性溝とスライドできるように連結された第二弾性ブロックが固定的に設置され、前記第二リールには前記第二弾性ブロックと前記第二移動ロッドとを連結する第二細糸が巻きついており、前記第二弾性ブロックのうち前記第二伝動チャンバから離れた端面には第二圧力板が固定的に設置され、前記制御器の左右端面には第二底部板が対称的に設置され、前記第二底部板と前記第二圧力板とは前記第四プラスチック膜と前記第三プラスチック膜とを挟む。
【００１１】
好ましくは、二つの前記鉛直ロッドの下端には楕円形板が一つ設置され、前記楕円形板の中には前記楕円形板の上下端面を貫通した引き出し溝が前後対称的に形成され、前記制御器が前記楕円形板を貫通し、前記楕円形板の下側に位置している前記制御器には支持板が左右対称的に、且つ固定的に設置され、前記楕円形溝の端壁の中には弧状溝が左右対称的に形成され、前記弧状溝の上端壁が短溝によって外部空間に連通し、前記弧状溝の中には伸縮ロッドがスライドできるように設置され、前記伸縮ロッドの中には前記制御器の方向に開口した伸縮チャンバが設置され、前記伸縮チャンバのうち前記制御器から離れた端壁には伸縮ばねが固定的に設置され、前記伸縮ばねのうち前記制御器に近接した一端には前記伸縮チャンバとスライドできるように連結されたガイドロッドが固定的に設置され、前記ガイドロッドと前記制御器とが固定的に連結されている。
【００１２】
好ましくは、前記第二弾性ばねと前記第一弾性ばねとは引っ張られる状態にある。
【００１３】
好ましくは、前記救命器リングの右端面にはロープが装着され、前記ロープの右端には安全バックルが固定的に設置されている。
【発明の効果】
【００１４】
本発明の有益効果は：本装置は普段折り畳まれる状態にあるため、スペースを節約でき、海上で事故に遭う時、自動的に膨らんでボールの形になることができ、装置の内部に食物を貯蔵でき、また救命ボートのスペースが足りない時に子供が一時に装置の内部にいられ、装置が安全バックルで救命ボートあるいは救命艇に引っ掛かられ、また水上に漂うことができ、より多くの脱出チャンスを与えられ、使用者の生存率を向上させる。
【図面の簡単な説明】
【００１５】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１６】
【図１】図１は本発明のフロートボール式の密封水上救命設備の全体全断面の正面構成模式図
【図２】図２は図１におけるＡの拡大模式図
【図３】図３は図１におけるＣの拡大模式図
【図４】図４は図１におけるＤの拡大模式図
【図５】図５は図１におけるＢ―Ｂ方向からの模式図
【発明を実施するための形態】
【００１７】
図１〜５を参照し、本発明のフロートボール式の密封水上救命設備は、救命器リング１０と制御器３５とを含み、前記救命器リング１０の中には前記救命器リング１０の上下端面を貫通した楕円形溝７３が形成され、前記制御器３５が前記楕円形溝７３の上下端壁を貫通し、
前記救命器リング１０の中には鉛直チャンバ５０が二つ左右対称的に設置され、前記鉛直チャンバ５０の中には気体生成機構９０が設置され、前記気体生成機構９０は上下にスライドできる鉛直ロッド４４を含み、前記鉛直ロッド４４の上端面には摩擦ロッド５１が固定的に設置され、前記摩擦ロッド５１の左端面には摩擦車４８が摩擦によって伝動できるように設置され、前記摩擦車４８が回転でき、前記摩擦車４８の中には輸液パイプ４９が設置され、前記救命器リング１０の中には上方に開口した第一傾斜パイプ１１と下方に開口した第二傾斜パイプ４５とが設置され、前記救命器リング１０の上端面には第一プラスチック膜１３と第二プラスチック膜１４とが固定的に設置され、前記第一プラスチック膜１３と前記第二プラスチック膜１４とが折り畳まれる状態にあり、前記第一プラスチック膜１３と前記第二プラスチック膜１４との間には炭酸ナトリウム溶液１２があり、前記救命器リング１０の下端面には第三プラスチック膜４０と第四プラスチック膜４２とが固定的に設置され、前記第四プラスチック膜４２と前記第三プラスチック膜４０とが折り畳まれる状態にあり、前記第三プラスチック膜４０と前記第四プラスチック膜４２との間には硫酸アルミニウム塊３７が置かれ、前記鉛直ロッド４４が下方へ運動する時に前記輸液パイプ４９を連動させて前記第一傾斜パイプ１１と前記第二傾斜パイプ４５とを連通するまで回転させ、これにより前記炭酸ナトリウム溶液１２は下方へ流れ、前記硫酸アルミニウム塊３７と反応して大量の二酸化炭素を生み出し、装置を膨らまし、
前記制御器３５の中には方形チャンバ３９が設置され、前記方形チャンバ３９の左右端壁には第一伝動チャンバ７０が対称的に設置され、前記第一伝動チャンバ７０の中には第一折畳機構９１が設置され、前記第一折畳機構９１は前記第二プラスチック膜１４と前記第一プラスチック膜１３とを折り畳む又は緩めることができ、
前記第一折畳機構９１の下側には第二折畳機構９２が設置され、前記第二折畳機構９２は前記第三プラスチック膜４０と前記第四プラスチック膜４２とを折り畳む又は緩めることができる。
【００１８】
更に、前記気体生成機構９０について詳しく説明し、前記気体生成機構９０は左右対称の昇降チャンバ５３も含み、前記昇降チャンバ５３のうち前記鉛直ロッド４４に近接した端壁が前記鉛直チャンバ５０に連通し、前記昇降チャンバ５３の下端壁には昇降ばね５４が固定的に設置され、前記昇降ばね５４の上端には前記昇降チャンバ５３とスライドできるように連結された昇降ロッド４６が固定的に設置され、前記昇降ロッド４６と前記鉛直ロッド４４とが固定的に連結され、前記鉛直チャンバ５０のうち前記鉛直ロッド４４から離れた端壁の中には旋転軸４７が回転できるように設置され、前記旋転軸４７には前記摩擦車４８が固定的に設置され、前記第一プラスチック膜１３と前記第二プラスチック膜１４との間には密封ファスナー２２が設置されている。
【００１９】
有益的には、前記第一折畳機構９１は短軸６８を含み、前記短軸６８が前記第一伝動チャンバ７０の後端壁と回転できるように連結され、前記短軸６８には第一リール６９が固定的に設置され、前記第一伝動チャンバ７０の下端壁には上端壁が前記第一伝動チャンバ７０に連通した第一移動チャンバ３０が設置され、前記第一移動チャンバ３０の中には第一移動ブロック７２がスライドできるように設置され、前記第一移動ブロック７２のうち前記方形チャンバ３９に近接した一端が前記方形チャンバ３９の中に位置しており、前記第一伝動チャンバ７０のうち前記方形チャンバ３９から離れた端壁が第一弾性チャンバ６７によって外部空間に連通し、前記第一弾性チャンバ６７の下端壁には第一弾性ばね６３が固定的に設置され、前記第一弾性ばね６３の上端には前記第一弾性チャンバ６７とスライドできるように連結された第一弾性ブロック６４が固定的に設置され、前記第一リール６９には前記第一弾性ブロック６４と前記第一移動ブロック７２とを連通する第一細糸２７が巻きついており、前記第一弾性ブロック６４のうち前記第一伝動チャンバ７０から離れた端面には第一圧力板６６が固定的に設置され、前記制御器３５の左右端面には第一底部板６５が対称的に、且つ固定的に設置され、前記第一底部板６５と前記第一圧力板６６との間には前記第一プラスチック膜１３と前記第二プラスチック膜１４とが挟まれ、
前記方形チャンバ３９の上端壁が長チャンバ２１によって外部空間に連通し、前記長チャンバ２１の左右端壁には弾力溝２６が対称的に形成され、前記弾力溝２６の下端壁には弾力ばね２５が固定的に設置され、前記弾力ばね２５の上端には前記弾力溝２６とスライドできるように連結された弾力ロッド２４が固定的に設置され、二つの前記弾力ロッド２４の間には中心ロッド２３が固定的に設置され、前記中心ロッド２３と前記長チャンバ２１とがスライドできるように連結され、前記中心ロッド２３が前記長チャンバ２１を貫通し、前記中心ロッド２３の下端には中間板２０が固定的に設置され、前記中間板２０の前端面には前記第一移動ブロック７２と回転できるように連結された傾斜ロッド３６が左右対称的に、且つ回転できるように設置されている。
【００２０】
有益的には、前記第二折畳機構９２は上方に開口した第二伝動チャンバ６０を含み、前記第二伝動チャンバ６０の上端壁には前記方形チャンバ３９の方向に開口した第二移動チャンバ３１が設置され、前記第二移動チャンバ３１の中には第二移動ロッド３２がスライドできるように設置され、前記第二移動ロッド３２のうち前記中間板２０に近接した一端が前記方形チャンバ３９の中に位置しており、前記第二移動ロッド３２と前記移動ブロック７２とが支持ロッド３４によって固定的に連結され、前記第二伝動チャンバ６０の後端壁には出力軸６２が回転できるように設置され、前記出力軸６２には第二リール６１が固定的に設置され、前記第二伝動チャンバ６０のうち前記方形チャンバ３９から離れた端壁が第二弾性溝５５によって外部空間に連通し、前記第二弾性溝５５の上端壁には第二弾性ばね５９が固定的に設置され、前記第二弾性ばね５９の下端には前記第二弾性溝５５とスライドできるように連結された第二弾性ブロック５６が固定的に設置され、前記第二リール６１には前記第二弾性ブロック５６と前記第二移動ロッド３２とを連結する第二細糸３３が巻きついており、前記第二弾性ブロック５６のうち前記第二伝動チャンバ６０から離れた端面には第二圧力板５７が固定的に設置され、前記制御器３５の左右端面には第二底部板５８が対称的に設置され、前記第二底部板５８と前記第二圧力板５７とは前記第四プラスチック膜４２と前記第三プラスチック膜４０とを挟む。
【００２１】
有益的には、二つの前記鉛直ロッド４４の下端には楕円形板４３が一つ設置され、前記楕円形板４３の中には前記楕円形板４３の上下端面を貫通した引き出し溝７１が前後対称的に形成され、前記制御器３５が前記楕円形板４３を貫通し、前記楕円形板４３の下側に位置している前記制御器３５には支持板３８が左右対称的に、且つ固定的に設置され、前記楕円形溝７３の端壁の中には弧状溝１７が左右対称的に形成され、前記弧状溝１７の上端壁が短溝１８によって外部空間に連通し、前記弧状溝１７の中には伸縮ロッド４１がスライドできるように設置され、前記伸縮ロッド４１の中には前記制御器３５の方向に開口した伸縮チャンバ１５が設置され、前記伸縮チャンバ１５のうち前記制御器３５から離れた端壁には伸縮ばね１６が固定的に設置され、前記伸縮ばね１６のうち前記制御器３５に近接した一端には前記伸縮チャンバ１５とスライドできるように連結されたガイドロッド１９が固定的に設置され、前記ガイドロッド１９と前記制御器３５とが固定的に連結されている。
【００２２】
有益的には、前記第二弾性ばね５９と前記第一弾性ばね６３とは引っ張られる状態にある。
【００２３】
有益的には、前記救命器リング１０の右端面にはロープ２８が装着され、前記ロープ２８の右端には安全バックル２９が固定的に設置されている。
【００２４】
装置全体の作動手順は以下の通り：
【００２５】
１、水上事故にあった時、密封ファスナー２２を開け、中心ロッド２３を下方へ押し、傾斜ロッド３６を運動連動させ、これにより第一移動ブロック７２と第二移動ロッド３２とを連動させて前記方形チャンバ３９から離れさせる。
【００２６】
２、第一移動ブロック７２が第一細糸２７を引き動かし、これにより第一弾性ブロック６４を上昇連動させ、第一圧力板６６が第一弾性ブロック６４につれ上昇し、挟まれた第一プラスチック膜１３と第二プラスチック膜１４とが緩み、第一プラスチック膜１３と第二プラスチック膜１４とを引き出して復元させる。
【００２７】
３、第二移動ロッド３２が第二細糸３３を引き動かし、第二弾性ブロック５６を下降連動させ、第二圧力板５７が第二弾性ブロック５６につれ下降し、これにより挟まれた第三プラスチック膜４０と第四プラスチック膜４２とが緩み、第三プラスチック膜４０と第四プラスチック膜４２とを引き出して復元させる。
【００２８】
４、制御器３５を回転させ、支持板３８とガイドロッド１９とを回転連動させ、ガイドロッド１９が伸縮ロッド４１を連動させて弧状溝１７の中で回転させ、伸縮ばね１６が圧縮され、伸縮ロッド４１が短溝１８の位置まで回転する時、支持板３８が引き出し溝７１の位置まで回転し、制御器３５を上方へ引いて外部空間に出す。
【００２９】
５、装置の中に水上脱出用の食物と薬物とを入れ、又は背の低い子供を入れ、楕円形板４３を押し動かして下降させる。
【００３０】
６、摩擦ロッド５１が楕円形板４３につれ下降し、摩擦ロッド５１と摩擦車４８との摩擦による伝動で摩擦車４８を回転連動させ、これにより輸液パイプ４９は第一傾斜パイプ１１と第二傾斜パイプ４５とを連通する。
【００３１】
７、炭酸ナトリウム溶液１２が第一傾斜パイプ１１と、輸液パイプ４９と、第二傾斜パイプ４５とを通過して硫酸アルミニウム塊３７に流れ込み、炭酸ナトリウム溶液１２と硫酸アルミニウム塊３７とが反応して大量の二酸化炭素を生み出し、第三プラスチック膜４０と第四プラスチック膜４２との間を膨らまし、第二プラスチック膜１４と第一プラスチック膜１３との間も膨らみ、装置が膨らんでボールの形になり、安全バックル２９によって救命ボートと救命艇のロープのところに引っ掛かられ、且つ水上に漂える。
【００３２】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【要約】
【課題】本発明はフロートボール式の密封水上救命設備を開示した。
【解決手段】
救命器リングと制御器とを含み、前記救命器リングの中には前記救命器リングの上下端面を貫通した楕円形溝が形成され、前記制御器が前記楕円形溝の上下端壁を貫通し、本装置は普段折り畳まれる状態にあるため、スペースを節約でき、海上で事故に遭う時、自動的に膨らんでボールの形になることができ、装置の内部に食物を貯蔵でき、また救命ボートのスペースが足りない時に子供が一時に装置の内部にいられ、装置が安全バックルで救命ボートあるいは救命艇に引っ掛かられ、また水上に漂うことができ、より多くの脱出チャンスを与えられ、使用者の生存率を向上させる。
【選択図】図１【図１】
0006764061.tif 000002
【図２】
0006764061.tif 000003
【図３】
0006764061.tif 000004
【図４】
0006764061.tif 000005
【図５】
0006764061.tif 000006